【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
第2のモノのインターネット(IoT)デバイスに対する近さを決定するように構成される第1のIoTデバイスを操作する方法であって、
前記第2のIoTデバイスとの接続を確立するステップと、
前記第2のIoTデバイスとの近さ検出手順を実行すると決定するステップと、
前記第1のIoTデバイスに結合されたマイクロホンによって、前記決定に応じて前記第2のIoTデバイスからの第1の通信経路での音の放出を監視するステップと、
第1の時点で、前記音の放出が前記第1の通信経路で前記第2のIoTデバイスによって発せられるのと実質的に同時に第2の通信経路で前記第2のIoTデバイスによって送信されるデータパケットを受信するステップと、
第2の時点で、前記監視するステップに基づいて前記音の放出を検出するステップと、
前記検出された音の放出に組み込まれ、前記データパケットのヘッダフィールドを特定するのを助けるように構成される第1の相関情報に基づいて、前記検出された音の放出を前記データパケットと相互に関連付けるステップと、
前記第2の時点に少なくとも部分的に基づいて前記第1のIoTデバイスと前記第2のIoTデバイスとの間の距離の推定値を計算するステップとを含む、方法。
【請求項２】
計算する前記ステップが、前記第1の時点と前記第2の時点との間の時間差を計算し、前記時間差に基づいて前記距離の推定値を生成する請求項1に記載の方法。
【請求項３】
前記第2のIoTデバイスが前記第1のIoTデバイスに前記データパケットを送信した通信経路に関連するネットワーク伝播レイテンシの推定値を得るステップと、
ネットワーク伝播レイテンシの前記推定値に基づいて前記第1の時点を調整するステップとをさらに含み、
計算する前記ステップが、調整された第1の時点と前記第2の時点との間の時間差を計算し、前記時間差に基づいて前記距離の推定値を生成する請求項1に記載の方法。
【請求項４】
ネットワーク伝播レイテンシの前記推定値が、前記第1のIoTデバイスと前記第2のIoTデバイスとの間でやりとりされる別のデータパケットによって運ばれるか、または
前記第1のIoTデバイスおよび前記第2のIoTデバイスのクロックが同期されず、ネットワーク伝播レイテンシの前記推定値が、決まった送信スケジュールに従って一連の対応する音の放出およびデータパケットを交換し、前記一連の対応する音の放出およびデータパケットの到着時間の間の差を平均することによって得られる請求項3に記載の方法。
【請求項５】
前記第1のIoTデバイスで実行される第1のクロックが前記第2のIoTデバイスで実行される第2のクロックと同期され、
前記データパケットが、前記第2のクロックに従って前記第2のIoTデバイスが前記データパケットを送信した第3の時点の指示を含み、
前記第2の時点が、前記第1のクロックに従って決定され、
計算する前記ステップが、前記第2の時点と前記データパケットからの前記第3の時点との間の時間差を計算し、前記時間差に基づいて前記距離の推定値を生成する請求項1に記載の方法。
【請求項６】
前記データパケットが、前記検出された音の放出を特定するのを助けるように構成される第2の相関情報をさらに含み、
検出する前記ステップが、前記第2の相関情報と監視する前記ステップによって監視される音声データとの間の比較に基づく請求項1に記載の方法。
【請求項７】
前記第2の相関情報が、前記検出された音の放出を特徴付けるデュアルトーン多周波数(DTMF)シグネチャおよび/または前記検出された音の放出を特徴付けるパルス符号変調(PCM)シグネチャを含む請求項6に記載の方法。
【請求項８】
前記第1の相関情報が、前記データパケットのシーケンス番号を含み、
前記データパケットの前記ヘッダフィールドは前記データパケットのヘッダのシーケンスフィールドである、請求項1に記載の方法。
【請求項９】
前記データパケットが受信される前記第2の通信経路が、Bluetooth（登録商標）接続および/または見通し(LoS)発光シーケンスを含む直接通信経路に対応する請求項1に記載の方法。
【請求項１０】
前記データパケットが受信される前記第2の通信経路が、アクセスポイントを介したインターネットプロトコル(IP)接続を含む間接通信経路である、請求項1に記載の方法。
【請求項１１】
前記IP接続が、ユーザデータグラムプロトコル(UDP)に基づく請求項10に記載の方法。
【請求項１２】
少なくともさらに2つのIoTデバイスとの少なくともさらに2つの近さ検出手順を実行して前記少なくとも2つのさらなるIoTデバイスに対する少なくともさらに2つの距離の推定値を計算するステップと、
前記距離の推定値および前記少なくともさらに2つの距離の推定値に基づいて三辺測量によって前記第1のIoTデバイスの位置を計算するステップとをさらに含む請求項1に記載の方法。
【請求項１３】
前記音の放出が出力される前記第1の通信経路が、音声伝播媒体である請求項1に記載の方法。
【請求項１４】
前記近さ検出手順を実行する前記決定が、前記第1のIoTデバイスによって開始されるか、または
前記近さ検出手順を実行する前記決定が、前記第2のIoTデバイスによって開始される請求項1に記載の方法。
【請求項１５】
前記第1のIoTデバイスで実行される第1のクロックが前記第2のIoTデバイスで実行される第2のクロックと同期され、
前記データパケットが、前記第2のクロックに従って前記第2のIoTデバイスが前記データパケットを送信した時点の指示を含む請求項1に記載の方法。
【請求項１６】
第2のモノのインターネット(IoT)デバイスにおいて第1のIoTデバイスと前記第2のIoTデバイスとの間の近さの検出を容易にする方法であって、
前記第1のIoTデバイスとの接続を確立するステップと、
前記第1のIoTデバイスとの近さ検出手順を実行すると決定するステップと、
前記第2のIoTデバイスに結合された音声出力デバイスによって、前記決定に応じて第1の通信経路で前記第2のIoTデバイスからの音の放出を出力するステップと、
前記第1の通信経路で前記音の放出を出力する前記ステップと実質的に同時に、第2の通信経路で前記第1のIoTデバイスにデータパケットを送信するステップとを含み、
前記音の放出および前記データパケットが、相関情報に基づく前記第1のIoTデバイスと前記第2のIoTデバイスとの間の距離の推定値の計算のために前記近さ検出手順に関連して前記第1のIoTデバイスにおいて互いに相互に関連付けられるように構成され、
前記相関情報が、前記音の放出に組み込まれ、前記データパケットのヘッダフィールドを特定するのを助けるように構成される第1の相関情報を含む、
方法。
【請求項１７】
前記データパケットは、前記音の放出を特定するのを助けるように構成される第2の相関情報を含む、請求項16に記載の方法。
【請求項１８】
前記第2の相関情報が、前記音の放出を特徴付けるデュアルトーン多周波数(DTMF)シグネチャおよび/または前記音の放出を特徴付けるパルス符号変調(PCM)シグネチャを含む請求項17に記載の方法。
【請求項１９】
前記第1の相関情報が、前記データパケットのシーケンス番号を含み、
前記データパケットのヘッダフィールドは、前記データパケットのヘッダのシーケンスフィールドである、請求項16に記載の方法。
【請求項２０】
前記データパケットが送信される前記第2の通信経路が、Bluetooth（登録商標）接続および/または見通し(LoS)発光シーケンスを含む直接通信経路に対応する請求項16に記載の方法。
【請求項２１】
前記データパケットが受信される前記第2の通信経路が、アクセスポイントを介したインターネットプロトコル(IP)接続を含む間接通信経路である、請請求項16に記載の方法。
【請求項２２】
前記IP接続が、ユーザデータグラムプロトコル(UDP)に基づく請求項21に記載の方法。
【請求項２３】
前記音の放出が出力される前記第1の通信経路が、音声伝播媒体である請求項16に記載の方法。
【請求項２４】
前記近さ検出手順を実行する前記決定が、前記第1のIoTデバイスによって開始されるか、または
前記近さ検出手順を実行する前記決定が、前記第2のIoTデバイスによって開始される請求項16に記載の方法。
【請求項２５】
前記近さ検出手順が、前記第1のIoTデバイスと少なくとも1つのその他のIoTデバイスとの両方に出力される前記音の放出を調整し、前記音の放出を出力する前記ステップと実質的に同時に前記少なくとも1つのその他のIoTデバイスに少なくとも1つのその他のデータパケットを送信することによって前記第1のIoTデバイスおよび前記少なくとも1つのその他のIoTデバイスによって平行して実施される請求項16に記載の方法。
【請求項２６】
前記第1のIoTデバイスで実行される第1のクロックが前記第2のIoTデバイスで実行される第2のクロックと同期され、
前記データパケットが、前記第2のクロックに従って前記第2のIoTデバイスが前記データパケットを送信した時点の指示を含む請求項16に記載の方法。
【請求項２７】
第2のモノのインターネット(IoT)デバイスに対する近さを決定するように構成される第1のIoTデバイスであって、
前記第2のIoTデバイスとの接続を確立するための手段と、
前記第2のIoTデバイスとの近さ検出手順を実行すると決定するための手段と、
前記第1のIoTデバイスに結合されたマイクロホンによって、前記決定に応じて前記第2のIoTデバイスからの第1の通信経路での音の放出を監視するための手段と、
第1の時点で、前記音の放出が前記第1の通信経路で前記第2のIoTデバイスによって発せられるのと実質的に同時に第2の通信経路で前記第2のIoTデバイスによって送信されるデータパケットを受信するための手段と、
第2の時点で、前記監視に基づいて前記音の放出を検出するための手段と、
前記検出された音の放出に組み込まれ、前記データパケットのヘッダフィールドを特定するのを助けるように構成される第1の相関情報に基づいて、前記検出された音の放出を前記データパケットと相互に関連付けるための手段と、
前記第2の時点に少なくとも部分的に基づいて前記第1のIoTデバイスと前記第2のIoTデバイスとの間の距離の推定値を計算するための手段とを含む、第1のIoTデバイス。
【請求項２８】
第1のIoTデバイスと第2のモノのインターネット(IoT)デバイスの間との間の近さの検出を容易にするように構成された前記第2のIoTデバイスであって、
前記第1のIoTデバイスとの接続を確立するための手段と、
前記第1のIoTデバイスとの近さ検出手順を実行すると決定するための手段と、
前記第2のIoTデバイスに結合された音声出力デバイスによって、前記決定に応じて第1の通信経路で前記第2のIoTデバイスからの音の放出を出力するための手段と、
前記第1の通信経路での前記音の放出の前記出力と実質的に同時に、第2の通信経路で前記第1のIoTデバイスにデータパケットを送信するための手段とを含み、
前記音の放出および前記データパケットが、相関情報に基づく前記第1のIoTデバイスと前記第2のIoTデバイスとの間の距離の推定値の計算のために前記近さ検出手順に関連して前記第1のIoTデバイスにおいて互いに相互に関連付けられるように構成され、
前記相関情報が、前記音の放出に組み込まれ、前記データパケットのヘッダフィールドを特定するのを助けるように構成される第1の相関情報を含む、第2のIoTデバイス。
【請求項２９】
第2のモノのインターネット(IoT)デバイスに対する近さを決定するように構成される第1のIoTデバイスであって、
前記第2のIoTデバイスとの接続を確立し、
前記第2のIoTデバイスとの近さ検出手順を実行すると決定し、
前記第1のIoTデバイスに結合されたマイクロホンによって、前記決定に応じて前記第2のIoTデバイスからの第1の通信経路での音の放出を監視し、
第1の時点で、前記音の放出が前記第1の通信経路で前記第2のIoTデバイスによって発せられるのと実質的に同時に第2の通信経路で前記第2のIoTデバイスによって送信されるデータパケットを受信し、
第2の時点で、前記監視に基づいて前記音の放出を検出し、
前記検出された音の放出にに組み込まれ、前記データパケットのヘッダフィールドを特定するのを助けるように構成される第1の相関情報に基づいて、前記検出された音の放出を前記データパケットと相互に関連付け、
前記第2の時点に少なくとも部分的に基づいて前記第1のIoTデバイスと前記第2のIoTデバイスとの間の距離の推定値を計算する
ように構成された、プロセッサ、メモリ、および／またはトランシーバを含む、第1のIoTデバイス。
【請求項３０】
第1のIoTデバイスと第2のモノのインターネット(IoT)デバイスの間との間の近さの検出を容易にするように構成された第2のIoTデバイスであって、
前記第1のIoTデバイスとの接続を確立し、
前記第1のIoTデバイスとの近さ検出手順を実行すると決定し、
前記第2のIoTデバイスに結合された音声出力デバイスによって、前記決定に応じて第1の通信経路で前記第2のIoTデバイスからの音の放出を出力し、
前記第1の通信経路での前記音の放出の前記出力と実質的に同時に、第2の通信経路で前記第1のIoTデバイスにデータパケットを送信する
ように構成された、プロセッサ、メモリ、および／またはトランシーバを含み、
前記音の放出および前記データパケットが、相関情報に基づく前記第1のIoTデバイスと前記第2のIoTデバイスとの間の距離の推定値の計算のために前記近さ検出手順に関連して前記第1のIoTデバイスにおいて互いに相互に関連付けられるように構成され、
前記相関情報が、前記音の放出に組み込まれ、前記データパケットのヘッダフィールドを特定するのを助けるように構成される第1の相関情報を含む、第2のIoTデバイス。
【請求項３１】
第2のモノのインターネット(IoT)デバイスに対する近さを決定するように構成される第1のIoTデバイスによって実行されるときに前記第1のIoTデバイスに動作を実行させる記憶された命令を含む非一時的コンピュータ可読記憶媒体であって、前記命令が、
前記第1のIoTデバイスに前記第2のIoTデバイスとの接続を確立させるための少なくとも1つの命令と、
前記第1のIoTデバイスに前記第2のIoTデバイスとの近さ検出手順を実行すると決定させるための少なくとも1つの命令と、
前記第1のIoTデバイスに、前記第1のIoTデバイスに結合されたマイクロホンによって、前記決定に応じて前記第2のIoTデバイスからの第1の通信経路での音の放出を監視させるための少なくとも1つの命令と、
前記第1のIoTデバイスに、第1の時点で、前記音の放出が前記第1の通信経路で前記第2のIoTデバイスによって発せられるのと実質的に同時に第2の通信経路で前記第2のIoTデバイスによって送信されるデータパケットを受信させるための少なくとも1つの命令と、
前記第1のIoTデバイスに、第2の時点で、前記監視に基づいて前記音の放出を検出させるための少なくとも1つの命令と、
前記第1のIoTデバイスに、前記検出された音の放出に組み込まれ、前記データパケットのヘッダフィールドを特定するのを助けるように構成される第1の相関情報に基づいて、前記検出された音の放出を前記データパケットと相互に関連付けさせるための少なくとも1つの命令と、
前記第1のIoTデバイスに、前記第2の時点に少なくとも部分的に基づいて前記第1のIoTデバイスと前記第2のIoTデバイスとの間の距離の推定値を計算させるための少なくとも1つの命令とを含む、非一時的コンピュータ可読記憶媒体。
【請求項３２】
第1のIoTデバイスと第2のモノのインターネット(IoT)デバイスの間との間の近さの検出を容易にするように構成された第2のIoTデバイスによって実行されるときに前記第2のIoTデバイスに動作を実行させる記憶された命令を含む非一時的コンピュータ可読記憶媒体であって、前記命令が、
前記第2のIoTデバイスに前記第1のIoTデバイスとの接続を確立させるための少なくとも1つの命令と、
前記第2のIoTデバイスに前記第1のIoTデバイスとの近さ検出手順を実行すると決定させるための少なくとも1つの命令と、
前記第2のIoTデバイスに、前記第2のIoTデバイスに結合された音声出力デバイスによって、前記決定に応じて第1の通信経路で前記第2のIoTデバイスからの音の放出を出力させるための少なくとも1つの命令と、
前記第2のIoTデバイスに、前記第1の通信経路での前記音の放出の前記出力と実質的に同時に、第2の通信経路で前記第1のIoTデバイスにデータパケットを送信させるための少なくとも1つの命令とを含み、
前記音の放出および前記データパケットが、相関情報に基づく前記第1のIoTデバイスと前記第2のIoTデバイスとの間の距離の推定値の計算のために前記近さ検出手順に関連して前記第1のIoTデバイスにおいて互いに相互に関連付けられるように構成され、
前記相関情報が、前記音の放出に組み込まれ、前記データパケットのヘッダフィールドを特定するのを助けるように構成される第1の相関情報を含む、非一時的コンピュータ可読記憶媒体。